(57)【特許請求の範囲】
【請求項１】
通信線を介して自機に具備された各電源での電力情報を送信可能な複数の電力供給型電力機器を多段接続し、さらに前記通信線を介して自機の機器情報を送信可能な電力消費型電力機器を前記電力供給型電力機器の前記電源に接続した際の接続状態を特定する電力機器接続状態特定装置において、
前記電力供給型電力機器の前記電源をオン又はオフする制御信号を出力する電力機器制御手段と、
前記複数の電力供給型電力機器から送信された各電源での電力情報を収集して電力情報蓄積手段に蓄積する電力情報収集手段と、
前記制御信号による前記電力供給型電力機器の前記電源のオン又はオフにより、前記電力消費型電力機器の機器情報を検出又は非検出する電力機器同定手段と、
前記電力情報蓄積手段から電力情報を読み出して、前記制御信号により電力情報の値が変化した電力供給型電力機器のうち、ある値を有する電力供給型電力機器とその次に小さな値を有する電力供給型電力機器とが接続されていると特定すると共に、当該制御信号により機器情報が検出又は非検出された電力消費型電力機器は前記電力情報の値が変化した電力供給電力機器のいずれかに接続されていると特定する電力機器接続状態特定手段と、
を有することを特徴とする電力機器接続状態特定装置。
【請求項２】
前記電力機器接続状態特定手段は、
制御対象の電源を変更しながら各電源のオン又はオフを繰り返すことにより、電力供給型電力機器又は前記電力消費型電力機器が接続されている電力供給型電力機器の電源を特定することを特徴とする請求項１記載の電力機器接続状態特定装置。
【請求項３】
前記電力情報は、
前記電力供給型電力機器の各電源で計測された電流値、電圧値、電力値のうち１以上であることを特徴とする請求項１又は２記載の電力機器接続状態特定装置。
【請求項４】
通信線を介して自機に具備された各電源での電力情報を送信可能な複数の電力供給型電力機器を多段接続し、さらに前記通信線を介して自機の機器情報を送信可能な電力消費型電力機器を前記電力供給型電力機器の前記電源に接続した際の接続状態を特定する電力機器接続状態特定装置で行う電力機器接続状態特定方法において、
前記電力供給型電力機器の前記電源をオン又はオフする制御信号を出力する電力機器制御ステップと、
前記複数の電力供給型電力機器から送信された各電源での電力情報を収集して電力情報蓄積手段に蓄積する電力情報収集ステップと、
前記制御信号による前記電力供給型電力機器の前記電源のオン又はオフにより、前記電力消費型電力機器の機器情報を検出又は非検出する電力機器同定ステップと、
前記電力情報蓄積手段から電力情報を読み出して、前記制御信号により電力情報の値が変化した電力供給型電力機器のうち、ある値を有する電力供給型電力機器とその次に小さな値を有する電力供給型電力機器とが接続されていると特定すると共に、当該制御信号により機器情報が検出又は非検出された電力消費型電力機器は前記電力情報の値が変化した電力供給電力機器のいずれかに接続されていると特定する電力機器接続状態特定ステップと、
を有することを特徴とする電力機器接続状態特定方法。
【請求項５】
前記電力機器接続状態特定ステップは、
制御対象の電源を変更しながら各電源のオン又はオフを繰り返すことにより、電力供給型電力機器又は前記電力消費型電力機器が接続されている電力供給型電力機器の電源を特定することを特徴とする請求項４記載の電力機器接続状態特定方法。
【請求項６】
請求項４又は５記載の電力機器接続状態特定方法をコンピュータに実行させることを特徴とする電力機器接続状態特定プログラム。
【発明の詳細な説明】
【技術分野】
【０００１】
本発明は、スマートタップやスマート機器などの電力機器の接続状態を特定する技術に関する。
【背景技術】
【０００２】
省エネ意識の高まりから、使用している電力機器の電流値、電圧値、電力値など（以下、電力情報）を計測する機器や装置が求められている。電力情報を計測することから、電力センサを各電力機器に具備させて当該機器上に表示する手法が一般的であるが、現在では、通信モジュールを更に内蔵させ、計測した電力情報を外部に出力する手法を採用したスマートタップを利用できる（非特許文献１，２参照）。
【０００３】
図８に、このようなスマートタップの外観および内部構成の概要を示す。同図（ａ）の外観に示すように、スマートタップ１００の外観は、他の電力機器の電源などに接続される電力入力端１１と、電力入力端１１から入力された電流、電圧、電力などを他の電力機器に供給する第１電源１２ａ〜第４電源１２ｄと、内部の通信モジュールに接続された通信入出力端１３とで主に構成される。
【０００４】
また、同図（ｂ）の内部構成に示すように、第１電源１２ａ〜第４電源１２ｄでの電力情報をそれぞれ計測する電力情報計測部１４と、電力入力端１１と第１電源１２ａ〜第４電源１２ｄとの間にそれぞれ位置する第１スイッチ１７ａ〜第４スイッチ１７ｄを外部からの制御信号に基づいてオン・オフすることにより、第１電源１２ａ〜第４電源１２ｄのオン・オフをそれぞれ制御する電源制御部１５と、計測された電力情報や上記制御信号を通信入出力端１３を介して入出力する通信部１６とで主に構成される。
【０００５】
図９に、このようなスマートタップ１００を複数使用して２段状に接続し、下段のスマートタップ１００にスマート機器３００を接続したスマートタップネットワーク構成システムを示す。なお、スマート機器３００とは、イーサネット（登録商標）などの通信機能を備えた電力機器をいう。
【０００６】
第１スマートタップ１００ａは、壁９００の内部に配線された電力線やその先の電力供給元に接続され、表面の各電源から第２スマートタップ１００ｂ〜第４スマートタップ１００ｄに電力をそれぞれ供給する。第２スマートタップ１００ｂ〜第４スマートタップ１００ｄは、同様に各表面にそれぞれ形成された各電源から第１スマート機器３００ａ〜第５スマート機器３００ｅに電力をそれぞれ供給する。
【０００７】
また、全てのスマートタップ１００および全てのスマート機器３００は、自機に具備された通信入出力端を介して通信線７００に接続され、その通信線７００には、汎用ＰＣなどで動作する電力情報測定装置５００が更に接続されている。
【０００８】
通信線７００に接続された全てのスマートタップ１００と、全てのスマート機器３００と、電力情報測定装置５００とには、ハードウェアアドレスやＩＰアドレスなどが予め設定されていることから、各スマート機器３００間、電力情報測定装置５００と各スマートタップ１００との間で相互に通信可能となっている。
【０００９】
このような構成下、ユーザは、所定のスマート機器３００を動作することにより、所期する処理を実行させることができる。例えば、第２スマート機器３００ｂ（パソコン）を使用しているユーザは、通信線７００を介してデータを送受信することにより、画面に表示された文章や画像を第１スマート機器３００ａ（プリンタ）で印刷することができる。
【００１０】
また、電力情報測定装置５００には、各スマートタップ１００を制御する制御プログラムが予め実行可能にインストールされており、その制御プログラムにより、通信線７００を介して、各スマートタップ１００でそれぞれ計測された各電源１２での電力情報をそれぞれ受信して、例えば、数字やグラフにより時間軸を基準にスマートタップ毎、電源毎に画面表示することができる。
【００１１】
更に、電力情報測定装置５００から各スマートタップ１００に上記制御信号を送信することにより、スマートタップ１００の電源のオン・オフを電源単位で切り替えることができる。
【先行技術文献】
【非特許文献】
【００１２】
【非特許文献１】「Switched Rack-Mount PDU [Input: NEMA 5-15P Output: (8) NEMA 5-15R 1Uタイプ](AP7900)」、［online］、平成23年6月16日検索、インターネット＜http://cyber.apc.co.jp/p-AP7900.html?scode=AP7900＞
【非特許文献２】「スマートコンセント FX-5204PS、ゲートウェイ FX-5250GW」、［online］、平成23年6月16日検索、インターネット＜URL：http://www.fcl.fujitsu.com/release/2011/20110307.html＞
【非特許文献３】ＵＰｎＰ  ＦＯＲＵＭ、［online］、平成23年6月16日検索、インターネット＜URL：http://www.upnp.org/＞
【発明の概要】
【発明が解決しようとする課題】
【００１３】
しかしながら、前述したスマートタップを複数用いて単に多段接続したとしても、その電源に接続されたスマートタップ間の接続状態や、スマートタップとスマート機器との接続状態については特定できないという課題がある。
【００１４】
このような課題に対して、例えば、ＵＰｎＰ（非特許文献３参照）やＩＰパケットを利用して通信線に接続された電力機器の機器名、ＩＰアドレス、ハードウェアアドレスなど（以下、機器情報）を同定する技術がある。
【００１５】
ＵＰｎＰに対応した電力機器の場合には、通信線上の制御端末から所定のコマンドを入力して当該コマンドのプログラムを実行させることにより、その通信線上の電力機器の機器情報を取得することができる。
【００１６】
また、ＩＰパケットを利用した同定技術の場合には、通信線上に流れるパケットをキャプチャして当該パケット内のデータを分析することにより、同様に、通信線上の電力機器の機器情報を取得することができる。
【００１７】
しかし、それら同定技術は、電力機器の機器情報を単に取得するものであることから、どのスマートタップのどの電源にどのような電力機器（スマートタップ、スマート機器）が接続されているかという接続状態については特定できない。
【００１８】
その接続状態を人手により把握する方法も考えられるが、非常に手間がかかる作業となる上、接続状態を変更する毎に修正する必要があることから、極めて非効率である。
【００１９】
本発明は、上記課題を鑑みてなされたものであり、その課題とするところは、スマートタップなどの電力供給型電力機器間の接続状態を特定し、スマート機器などの電力消費型電力機器との接続状態を更に特定することにある。
【課題を解決するための手段】
【００２０】
請求項１記載の電力機器接続状態特定装置は、通信線を介して自機に具備された各電源での電力情報を送信可能な複数の電力供給型電力機器を多段接続し、さらに前記通信線を介して自機の機器情報を送信可能な電力消費型電力機器を前記電力供給型電力機器の前記電源に接続した際の接続状態を特定する電力機器接続状態特定装置において、前記電力供給型電力機器の前記電源をオン又はオフする制御信号を出力する電力機器制御手段と、前記複数の電力供給型電力機器から送信された各電源での電力情報を収集して電力情報蓄積手段に蓄積する電力情報収集手段と、前記制御信号による前記電力供給型電力機器の前記電源のオン又はオフにより、前記電力消費型電力機器の機器情報を検出又は非検出する電力機器同定手段と、前記電力情報蓄積手段から電力情報を読み出して、前記制御信号により電力情報の値が変化した電力供給型電力機器のうち、ある値を有する電力供給型電力機器とその次に小さな値を有する電力供給型電力機器とが接続されていると特定すると共に、当該制御信号により機器情報が検出又は非検出された電力消費型電力機器は前記電力情報の値が変化した電力供給電力機器のいずれかに接続されていると特定する電力機器接続状態特定手段と、を有することを特徴とする。
【００２１】
本発明によれば、電力供給型電力機器の電源をオン又はオフする制御信号により電力情報の値が変化した電力供給型電力機器のうち、ある値を有する電力供給型電力機器とその次に小さな値を有する電力供給型電力機器とが接続されていると特定すると共に、その制御信号により機器情報が検出又は非検出された電力消費型電力機器は電力情報の値が変化した電力供給電力機器のいずれかに接続されていると特定するため、電力供給型電力機器間の接続状態を特定できると共に、電力消費型電力機器との接続状態を更に特定できる。
【００２２】
請求項２記載の電力機器接続状態特定装置は、請求項１記載の電力機器接続状態特定装置において、前記電力機器接続状態特定手段は、制御対象の電源を変更しながら各電源のオン又はオフを繰り返すことにより、電力供給型電力機器又は前記電力消費型電力機器が接続されている電力供給型電力機器の電源を特定することを特徴とする。
【００２３】
請求項３記載の電力機器接続状態特定装置は、請求項１又は２記載の電力機器接続状態特定装置において、前記電力情報は、前記電力供給型電力機器の各電源で計測された電流値、電圧値、電力値のうち１以上であることを特徴とする。
【００２４】
請求項４記載の電力機器接続状態特定方法は、通信線を介して自機に具備された各電源での電力情報を送信可能な複数の電力供給型電力機器を多段接続し、さらに前記通信線を介して自機の機器情報を送信可能な電力消費型電力機器を前記電力供給型電力機器の前記電源に接続した際の接続状態を特定する電力機器接続状態特定装置で行う電力機器接続状態特定方法において、前記電力供給型電力機器の前記電源をオン又はオフする制御信号を出力する電力機器制御ステップと、前記複数の電力供給型電力機器から送信された各電源での電力情報を収集して電力情報蓄積手段に蓄積する電力情報収集ステップと、前記制御信号による前記電力供給型電力機器の前記電源のオン又はオフにより、前記電力消費型電力機器の機器情報を検出又は非検出する電力機器同定ステップと、前記電力情報蓄積手段から電力情報を読み出して、前記制御信号により電力情報の値が変化した電力供給型電力機器のうち、ある値を有する電力供給型電力機器とその次に小さな値を有する電力供給型電力機器とが接続されていると特定すると共に、当該制御信号により機器情報が検出又は非検出された電力消費型電力機器は前記電力情報の値が変化した電力供給電力機器のいずれかに接続されていると特定する電力機器接続状態特定ステップと、を有することを特徴とする。
【００２５】
本発明によれば、電力供給型電力機器の電源をオン又はオフする制御信号により電力情報の値が変化した電力供給型電力機器のうち、ある値を有する電力供給型電力機器とその次に小さな値を有する電力供給型電力機器とが接続されていると特定すると共に、その制御信号により機器情報が検出又は非検出された電力消費型電力機器は電力情報の値が変化した電力供給電力機器のいずれかに接続されていると特定するため、電力供給型電力機器間の接続状態を特定できると共に、電力消費型電力機器との接続状態を更に特定できる。
【００２６】
請求項５記載の電力機器接続状態特定方法は、請求項４記載の電力機器接続状態特定方法において、前記電力機器接続状態特定ステップは、制御対象の電源を変更しながら各電源のオン又はオフを繰り返すことにより、電力供給型電力機器又は前記電力消費型電力機器が接続されている電力供給型電力機器の電源を特定することを特徴とする。
【００２７】
請求項６記載の電力機器接続状態特定プログラムは、請求項４又は５記載の電力機器接続状態特定方法をコンピュータに実行させることを特徴とする。
【発明の効果】
【００２８】
本発明によれば、電力供給型電力機器間の接続状態を特定でき、電力消費型電力機器との接続状態を更に特定できる。
【図面の簡単な説明】
【００２９】
【図１】第１の実施の形態に係るスマートタップネットワーク構成システムを示す図である。
【図２】電力機器接続状態特定装置の機能ブロック構成を示す図である。
【図３】動作例１の動作フローを示す図である。
【図４】動作例２の動作フローを示す図である。
【図５】第２の実施の形態に係るスマートタップネットワーク構成システムを示す図である。
【図６】動作例３の動作フローを示す図である。
【図７】電力機器接続状態特定結果の例を示す図である。
【図８】スマートタップの外観および内部構成の概要例を示す図である。
【図９】従来のスマートタップネットワーク構成システムを示す図である。
【発明を実施するための形態】
【００３０】
本発明は、スマートタップの表面に具備された各電源のオン・オフと、そのオン・オフによる各電源の電力情報（電流値、電圧値、電力値のうち１以上）の値の変化と、そのオン・オフによりスマートタップの機器情報（機器名、ＩＰアドレス、ハードウェアアドレスなど）を検出・非検出する電力機器同定技術とを利用することにより、スマートタップ間の接続状態、すなわち電力線網の接続状態を特定できるという効果を得るものである。具体的には、どのスマートタップが、どのスマートタップのどの電源に接続されているかを把握することが可能となる。
【００３１】
また、本発明は、スマートタップの表面に具備された各電源やスマート機器の電源のオン・オフと、そのオン・オフによる各電源の電力情報の値の変化と、そのオン・オフによりスマートタップやスマート機器の機器情報を検出・非検出する電力機器同定技術とを利用することにより、スマートタップとスマート機器との接続状態を特定できるという効果を得るものである。具体的には、どのスマート機器が、どのスマートタップのどの電源に接続されているかを把握することが可能となる。
【００３２】
以下、本発明を実施する一実施の形態について図面を用いて説明する。但し、本発明は多くの異なる様態で実施することが可能であり、本実施の形態の記載内容に限定して解釈すべきではない。
【００３３】
＜第１の実施の形態＞
図１は、第１の実施の形態に係るスマートタップネットワーク構成システムを示す図である。このスマートタップネットワーク構成システムは、複数のスマートタップ１００と、複数のスマート機器３００と、電力機器接続状態特定装置１とで主に構成される。
【００３４】
スマートタップ１００は、１つ以上の電源を持つ電源タップの一種であり、外部からの制御信号により具備する各電源をオン・オフ可能であり、イーサネット（登録商標）、ＵＳＢ（登録商標）、ＲＳ−２３２Ｃシリアルバスなどを用いて、内蔵された電力センサで計測されたスマートタップ内の消費電力等を外部出力可能な仕組みを具備している。
【００３５】
具体的には、図８（ａ）を用いて説明したように、その外部において、電源に接続される電力入力端１１と、電力入力端１１から入力された電流、電圧、電力などを他のスマートタップ１００やスマート機器３００に供給する１以上の電源１２と、内部の通信モジュールに接続された通信入出力端１３とを具備している。
【００３６】
また、図８（ｂ）を用いて説明したように、その内部構成において、各電源１２での電力情報をそれぞれ計測する電力情報計測部と、電力入力端１１と各電源１２との間にそれぞれ位置する各スイッチを制御信号に基づいてオン・オフすることにより各電源１２のオン・オフをそれぞれ制御する電源制御部と、計測された電力情報や上記制御信号を通信入出力端１３を介して入出力する通信部とを具備している。
【００３７】
本実施の形態で利用する複数のスマートタップ１００は、図１に示すように、具備する電力線を通じて２段状にカスケード接続された第１スマートタップ１００ａ〜第４スマートタップ１００ｄである。
【００３８】
第１スマートタップ１００ａは、その機器名が「Ａ社製スマートタップＡ１」であり、壁９００の内部に配線された電力線やその先の電力供給元に接続された電力入力端１１ａから電力を受け取り、具備する第１電源１２ａａ〜第４電源１２ａｄから電流、電圧、電力などをそれぞれ出力して、それら各電源に接続されたスマートタップ１００に供給する。
【００３９】
第２スマートタップ１００ｂは、その機器名が「Ａ社製スマートタップＡ２」であり、具備する電力線を通じて第１スマートタップ１００ａの第１電源１２ａａに接続されている。
【００４０】
第３スマートタップ１００ｃは、その機器名が「Ａ社製スマートタップＡ３」であり、具備する電力線を通じて第１スマートタップ１００ａの第２電源１２ａｂに接続されている。
【００４１】
第４スマートタップ１００ｄは、その機器名が「Ａ社製スマートタップＡ４」であり、具備する電力線を通じて第１スマートタップ１００ａの第４電源１２ａｄに接続されている。
【００４２】
それら第２スマートタップ１００ｂ〜第４スマートタップ１００ｄは、第１スマートタップ１００ａと同様に、表面に形成された各電源１２から電流、電圧、電力などをそれぞれ出力して、それら各電源に接続されたスマート機器３００に供給する。
【００４３】
なお、スマートタップ１００とは、電力供給型電力機器の例であり、上記構成を具備する電力機器であればどのようなものであってもよい。
【００４４】
一方、スマート機器３００とは、イーサネット（登録商標）などの通信機能を有し、起動状態のオン・オフを確認するヘルスチェック機能を備え、具備する電力線を通じてスマートタップ１００に接続可能な電力消費型電力機器である。例えば、パソコン、デジタル家電、ホームゲートウェイなどが一例に挙げられる。
【００４５】
本実施の形態で利用するスマート機器３００は、図１に示すように、第１スマート機器３００ａ〜第５スマート機器３００ｅである。
【００４６】
第１スマート機器３００ａは、その機器名が「Ｃ社製プリンタＭ」のプリンタであり、第２スマートタップ１００ｂの第４電源１２ｂｄに接続されている。
【００４７】
第２スマート機器３００ｂは、その機器名が「Ｔ社製ＰＣ−Ｄ」のパソコンであり、第３スマートタップ１００ｃの第１電源１２ｃａに接続されている。
【００４８】
第３スマート機器３００ｃは、その機器名が「Ｓ社製ビデオレコーダＢＤ」のビデオレコーダであり、第３スマートタップ１００ｃの第３電源１２ｃｃに接続されている。
【００４９】
第４スマート機器３００ｄは、その機器名が「Ｈ社製ＩＰ電話Ｉ」のＩＰ電話であり、第４スマートタップ１００ｄの第１電源１２ｄａに接続されている。
【００５０】
第５スマート機器３００ｅは、その機器名が「Ｓ社製ネット対応テレビＢＲ」のデジタルテレビであり、第４スマートタップ１００ｄの第２電源１２ｄｂに接続されている。
【００５１】
以上説明した全てのスマートタップ１００および全てのスマート機器３００は、具備する通信入出力端（例えば、ＬＡＮ端子など）を介して通信線７００に接続されている。また、その通信線７００上には、スマートタップ１００間の接続状態や、スマートタップ１００とスマート機器３００との接続状態を特定する電力機器接続状態特定装置１が更に接続されている。
【００５２】
また、通信線７００に接続された全ての電力機器（スマートタップ１００、スマート機器３００）や電力機器接続状態特定装置１には、機器名の他、ハードウェアアドレスやＩＰアドレスなどが予め設定されていることから、電力機器接続状態特定装置１と各スマートタップ１００との間、電力機器接続状態特定装置１と各スマート機器３００との間で相互に通信可能である。勿論、各スマート機器３００間でも相互通信可能である。
【００５３】
なお、図１に示した接続状態は一例であり、スマートタップ１００のカスケード接続を３段以上にする構成や、スマート機器３００を上段や中段のスマートタップ１００の電源に接続する構成であっても、同様の効果が得られる。第２の実施の形態で詳述する。
【００５４】
次に、電力機器接続状態特定装置１について説明する。図２は、電力機器接続状態特定装置１の機能ブロック構成を示す図である。本電力機器接続状態特定装置１は、電力制御機能部１１０と、電力機器同定機能部１２０とで主に構成される。
【００５５】
電力制御機能部１１０は、電力機器制御部１１１と、電力情報収集部１１２と、電力情報蓄積部１１３と、電力機器接続状態特定部１１４と、電力機器配置蓄積部１１５と、電力機器同定結果収集部１１６とで主に構成される。以下、それら各部の機能について詳述する。
【００５６】
電力機器制御部１１１は、通信線７００を介して、各スマートタップ１００の電源１２や各スマート機器３００の電源をオン又はオフする制御信号を送信する機能を有している。
【００５７】
電力情報収集部１１２は、通信線７００を介して、各スマートタップ１００で計測され送信される電力情報を受信して収集し、電力情報蓄積部１１３に蓄積する機能を有している。
【００５８】
電力機器接続状態特定部１１４は、電力情報蓄積部１１３に蓄積されている電力情報を読み出して、電力機器制御部１１１により送信された制御信号によって、スマートタップ１００の電源１２やスマート機器３００の電源がオン又はオフされることにより、電力情報の値が変化したスマートタップ１００を検出して、検出されたスマートタップ１００のうち、ある値を有するスマートタップ１００とその次に小さな値を有するスマートタップ１００とが接続されていると特定すると共に、上記制御信号によって、電力機器同定部１２１（後述）により検出又は非検出されたスマートタップ１００やスマート機器３００が上記電力情報の値が変化したスマートタップのいずれかに接続されていると特定して、その結果を電力機器配置蓄積部１１５に蓄積する機能を有している。
【００５９】
例えば、上記検出された複数のスマートタップ１００の電力情報の値を比較して、その値が大きいスマートタップ１００において電力情報の値が変化した電源１２と、その値が次に大きいスマートタップ１００とが接続されているとする。
【００６０】
また、電力機器接続状態特定部１１４は、制御対象であるスマートタップ１００の電源１２を適宜変更しながら各電源１２のオン又はオフを繰り返すことにより、スマートタップ１００やスマート機器３００が接続されているスマートタップ１００の電源１２を特定する機能を有している。
【００６１】
電力機器同定結果収集部１１６は、電力機器同定部１２１（後述）によって検出又は非検出されたスマートタップ１００やスマート機器３００の機器情報（機器名、ＩＰアドレス、ハードウェアアドレス（例えば、ＭＡＣアドレスなど）など）を取得する機能を有している。
【００６２】
一方、電力機器同定機能部１２０は、電力機器同定部１２１で主に構成される。電力機器同定部１２１は、スマートタップ１００の電源１２やスマート機器３００の電源のオン又はオフにより、スマートタップ１００やスマート機器３００の機器情報を通信線７００を介して検出又は非検出する機能を有している。例えば、パケットの特徴を分析して推定する技術や、ＵＰｎＰプロトコルを利用して機器情報を取得要求する技術などを利用して実現できる。
【００６３】
なお、電力機器制御部１１１と、電力情報収集部１１２と、電力機器接続状態特定部１１４と、電力機器同定結果収集部１１６と、電力機器同定部１２１とは、ＣＰＵなどの制御手段により実現可能である。電力情報蓄積部１１３と、電力機器配置蓄積部１１５とは、メモリなどの記憶手段により実現可能である。それら各部の処理は、当該処理をコンピュータに実行させるプログラムにより実現される。
【００６４】
次に、上記構成を具備する電力機器接続状態特定装置１の動作フローについて説明する。
【００６５】
電力機器接続状態特定装置１の動作フローは、電源をオンするかオフするか、オン又はオフされる電源がどの段のスマートタップ１００か、オン又はオフされる電源がスマートタップ１００であるかスマート機器３００か、などにより異なる。
【００６６】
例えば、スマートタップ１００の各電源のオン・オフと、そのオン・オフによる各電源の電力情報の値の変化と、そのオン・オフにより検出・非検出された電力機器の機器情報とを利用することにより、スマートタップ１００間の接続状態や、スマートタップ１００とスマート機器３００との接続状態を特定する第１の方法を採用できる。
【００６７】
また、その第１方法に加えて、又は、スマート機器３００のオン・オフに代えて、スマート機器３００の電源をオン・オフすることを更に利用する第２の方法も採用できる。
【００６８】
以下では、最もシンプルな第１の方法の場合における電力機器接続状態特定装置１の動作フローについて説明する。なお、第２の方法の場合であっても、基本的には同様である。
【００６９】
〔動作例１〕
動作例１では、スマートタップ１００間の接続状態、すなわち電力線網の接続状態を特定する場合の動作フローについて説明する。図１において、第２スマートタップ１００ｂの第４電源１２ｂｄをオンからオフする場合を例に、以下詳述する。図３に、動作例１の動作フローを示す。
【００７０】
最初に、ステップＳ１において、電力機器接続状態特定装置１の電力機器制御部１１１が、通信線７００を介して、第２スマートタップ１００ｂの第４電源１２ｂｄをオフする制御信号を送信する。この制御信号により、この第４電源１２ｂｄはオフされる。
【００７１】
次に、ステップＳ２において、電力情報収集部１１２が、通信線７００を介して、上記制御信号を送信した後に第１スマートタップ１００ａ〜第４スマートタップ１００ｄから送信された電力情報を受信し、電力情報の値の変動の有無を判定して、変動ありと判定した場合に、電力情報の値に変動があったことを意味するイベントを保持する。
【００７２】
次に、ステップＳ３において、電力機器接続状態特定部１１４が、ステップＳ２で保持されたイベントにより電力情報の値に変動があったこと認識した場合、電力情報の値が変化したスマートタップ１００を検出する。
【００７３】
ここで、第２スマートタップ１００ｂの第４電源１２ｂｄをオフしたことから、第２スマートタップ１００ｂの第４電源１２ｂｄにおける電力情報の値、例えば電力値が０（ゼロ）になるため、第２スマートタップ１００ｂの第４電源１２ｂｄの電力値は変化している。
【００７４】
これと同時に、第１スマートタップ１００ａの第１電源１２ａａにおいても、第２スマートタップ１００ｂの第４電源１２ｂｄで消費されていた分だけ電力値が低下することから、第１スマートタップ１００ａの第１電源１２ａａの電力値も変化している。
【００７５】
ゆえに、ステップＳ３では、電力情報の値が変化したスマートタップ１００として、第１スマートタップ１００ａおよび第２スマートタップ１００ｂが検出される。
【００７６】
一方、ステップＳ４において、ステップＳ１〜ステップＳ３に同期して、電力機器同定部１２１が、ステップＳ１で送信された制御信号により第４電源１２ｂｄがオフされた第２スマートタップ１００ｂの機器情報を非検出する。
【００７７】
すなわち、第２スマートタップ１００ｂの他の電源はこれまで未使用であって既にオフされており、使用中であった唯一の第４電源１２ｂｄがオフされたことから、これまで検出されていた第２スマートタップ１００ｂの機器情報が取得できなくなることから、第２スマートタップ１００ｂの機器情報が非検出される。
【００７８】
なお、非検出とは、これまで検出されていたものの、上記電源をオフする制御信号により検出されなくなったスマートタップの機器名、ＩＰアドレス、ハードウェアアドレスなどの機器情報を特定することをいう。ここでは、第２スマートタップ１００ｂの機器情報として、機器名「Ａ社製スマートタップＡ２」、ＩＰアドレス「１９２．１６８．７．３」、ハードウェアアドレス「０１：０１：０２：０２：０４：０４」が特定される。
【００７９】
次に、ステップＳ５において、電力機器接続状態特定部１１４が、ステップＳ３で検出された第１スマートタップ１００ａと第２スマートタップ１００ｂとを対応付けることによりそれらスマートタップ１００間の接続状態を特定すると共に、ステップＳ４で非検出された第２スマートタップ１００ｂの機器情報を関連付けて、その結果を電力機器配置蓄積部１１５に蓄積する。
【００８０】
すなわち、第２スマートタップ１００ｂ以外に電力値が低下するスマートタップ１００が検出されているのであれば、それが第２スマートタップ１００ｂに電力を供給しているスマートタップ１００であると分かることから、第２スマートタップ１００ｂに対して、第１スマートタップ１００ａの第１電源１２ａａを対応付けることによりその接続関係を特定すると共に、第２スマートタップ１００ｂの機器名、ＩＰアドレス、ハードウェアアドレスを、ステップＳ４で非検出された機器名（Ａ社製スマートタップＡ２）、ＩＰアドレス（１９２．１６８．７．３）、ハードウェアアドレス（０１：０１：０２：０２：０４：０４）とする。
【００８１】
なお、上記動作例１では、スマート機器が接続されたスマートタップの電源のオン・オフを例に説明したが、スマートタップ自身が起動していることにより消費される電力があることから、スマート機器のオン・オフやスマート機器の接続・非接続に関係なく上記動作例を適用することができる。
【００８２】
具体的には、スマートタップやスマート機器などの電力機器が何ら電源に接続されていない第５スマートタップ（不図示）を第１スマートタップ１００ａの第３電源１２ａｃに接続し、その第５スマートタップ上の任意の電源をオン又はオフした場合や、当該第３電源１２ａｃをオン又はオフした場合であっても、上記動作例１と同様の処理により、電力線網の接続状態を特定することができる。
【００８３】
〔動作例２〕
動作例２では、スマートタップ１００とスマート機器３００との接続状態を更に特定する場合の動作フローについて説明する。図１において、第４スマートタップ１００ｄの第２電源１２ｄｂをオフからオンする場合を例に、以下詳述する。
【００８４】
図４に、動作例２の動作フローを示す。ただし、全てのスマートタップ１００は既に起動しており、各電源をオン・オフ可能であって、電力線網の接続状態は特定されているものとする。
【００８５】
最初に、ステップＳ３１において、電力機器接続状態特定装置１の電力機器制御部１１１が、通信線７００を介して、第４スマートタップ１００ｄの第２電源１２ｄｂをオンする制御信号を送信する。この制御信号により、この第２電源１２ｄｂはオンされる。
【００８６】
次に、ステップＳ３２において、電力情報収集部１１２が、通信線７００を介して、上記制御信号を送信した後に第１スマートタップ１００ａ〜第４スマートタップ１００ｄから送信された電力情報を受信し、電力情報の値の変動の有無を判定して、変動ありと判定した場合に、電力情報の値に変動があったことを意味するイベントを保持する。
【００８７】
次に、ステップＳ３３において、電力機器接続状態特定部１１４が、ステップＳ３２で保持されたイベントにより電力情報の値に変動があったこと認識した場合、電力情報の値が変化したスマートタップ１００を検出する。
【００８８】
ここで、第４スマートタップ１００ｄの第２電源１２ｄｂをオンしたことから、第４スマートタップ１００ｄの第２電源１２ｄｂにおける電力情報の値、例えば電力値が上昇するため、第４スマートタップ１００ｄの第２電源１２ｄｂの電力値は変化している。
【００８９】
これと同時に、第１スマートタップ１００ａの第４電源１２ａｄにおいても、第４スマートタップ１００ｄの第２電源１２ｄｂで消費された分だけ電力値が上昇することから、第１スマートタップ１００ａの第４電源１２ａｄの電力値も変化している。
【００９０】
ゆえに、ステップＳ３３では、電力情報の値が変化したスマートタップ１００として、第１スマートタップ１００ａおよび第４スマートタップ１００ｄが検出される。
【００９１】
一方、ステップＳ３４において、ステップＳ３１〜ステップＳ３３に同期して、電力機器同定部１２１が、ステップＳ３１で送信された制御信号によりオンされた第４スマートタップ１００ｄの第２電源１２ｄｂに接続されている第５スマート機器３００ｅの機器情報を検出する。
【００９２】
具体的には、その第２電源１２ｄｂをオンした時点前後の一定時間内に検出された第５スマート機器３００ｅの機器名「Ｓ社製ネット対応テレビＢＲ」、ＩＰアドレス「１９２．１６８．７．１５」、ハードウェアアドレス「０６：０６：０７：０７：０１：０１」が取得される。
【００９３】
次に、ステップＳ３５において、電力機器接続状態特定部１１４が、ステップＳ３３で検出された第１スマートタップ１００ａと第４スマートタップ１００ｄとを対応付けることによりそれらスマートタップ１００間の接続状態を特定すると共に、ステップＳ３４で検出された第５スマート機器３００ｅの機器情報を関連付けることによりスマート機器３００の接続状態を更に特定して、その結果を電力機器配置蓄積部１１５に蓄積する。
【００９４】
すなわち、ステップＳ３４で電力機器の同定を行っている間に検出された電力機器は第５スマート機器３００ｅのみであり、第４スマートタップ１００ｄの第２電源１２ｄｂの電力値が上昇したことから、第５スマート機器３００ｅは第４スマートタップ１００ｄの第２電源１２ｄｂに接続されていると分かる。
【００９５】
これより、第５スマート機器３００ｅに対して、第４スマートタップ１００ｄの第２電源１２ｄｂを対応付けることによりその接続関係を特定すると共に、第５スマート機器３００ｅの機器名、ＩＰアドレス、ハードウェアアドレスを、ステップＳ３４で検出された機器名（Ｓ社製ネット対応テレビＢＲ）、ＩＰアドレス（１９２．１６８．７．１５）、ハードウェアアドレス（０６：０６：０７：０７：０１：０１）とする。
【００９６】
具体的には、ステップＳ３３で検出された第１スマートタップ１００ａと第４スマートタップ１００ｄとの電力情報の値（例えば、各電源の電力値の総和や、電力値の変動量など）を比較して、スマートタップ１００間の接続関係を特定する。
【００９７】
すなわち、電源オン後の各スマートタップの電力値を比較すると、第１スマートタップ１００ａの方が電力供給元に近く、第４スマートタップ１００ｄの電力値よりも第１スマートタップ１００ａの電力値の方が大きいことから、第４スマートタップ１００ｄが第１スマートタップ１００ａに接続されていると分かる。
【００９８】
これにより、第４スマートタップ１００ｄに対して、第１スマートタップ１００ａにおいて電力値が変化した第４電源１２ａｄを対応付ける。
【００９９】
なお、スマートタップ１００が３段以上の場合であっても同様に電力情報の値を比較して、最も大きい値のスマートタップが上段、次に大きい値のスマートタップが次段、その次に大きい値のスマートタップが次々段、…、と接続関係を特定し、上記のように電源との関係を特定することが可能である。すなわち、電力値に変化があったとき、変化のあった値を有するスマートタップのうち、値が大きいものから小さいものに向かって、より下位にあるスマートタップと判断することにより、スマートタップの接続状態を特定するようにしている。
【０１００】
＜第２の実施の形態＞
第２の実施の形態では、スマートタップ１００が３段状にカスケード接続された場合について説明する。図５に示すように、第１の実施の形態での接続状態に加えて、第５スマートタップ１００ｅと、第６スマート機器３００ｆと、第７スマート機器３００ｇとを更に具備している。
【０１０１】
第５スマートタップ１００ｅは、具備する電力線を通じて第４スマートタップ１００ｄの第４電源１２ｄｄに接続されている。第６スマート機器３００ｆと第７スマート機器３００ｇとは、それぞれ、具備する電力線を通じて第５スマートタップ１００ｅの第３電源ｅｃと第４電源ｅｄとに接続されている。
【０１０２】
また、それら追加された全ては、具備する通信入出力端を介して通信線７００に接続されている。なお、第１の実施の形態で説明したスマートタップ１００やスマート機器３００と同様の機能を有することから、本実施の形態では、動作フローについてのみ以下説明する。図６に、動作例３の動作フローを示す。
【０１０３】
〔動作例３〕
最初に、ステップＳ５１において、電力機器接続状態特定装置１の電力機器制御部１１１が、通信線７００を介して、第４スマートタップ１００ｄの第４電源１２ｄｄをオンする制御信号を送信する。この制御信号により、この第４電源１２ｄｄはオンされる。
【０１０４】
次に、ステップＳ５２において、電力情報収集部１１２が、通信線７００を介して、上記制御信号を送信した後に第１スマートタップ１００ａ〜第５スマートタップ１００ｅから送信された電力情報を受信し、電力情報の値の変動の有無を判定して、変動ありと判定した場合に、電力情報の値に変動があったことを意味するイベントを保持する。
【０１０５】
次に、ステップＳ５３において、電力機器接続状態特定部１１４が、ステップＳ５２で保持されたイベントにより電力情報の値に変動があったこと認識した場合、電力情報の値が変化したスマートタップ１００を検出する。
【０１０６】
ここで、第４スマートタップ１００ｄの第４電源１２ｄｄをオンしたことから、第４スマートタップ１００ｄの第４電源１２ｄｄにおける電力情報の値、例えば電力値が上昇するため、第４スマートタップ１００ｄの第４電源１２ｄｄの電力値は変化している。
【０１０７】
これと同時に、第６スマート機器３００ｆと第７スマート機器３００ｇとが接続された第５スマートタップ１００ｅの第３電源１２ｅｃと第４電源１２ｅｄとにおける各電力情報の値もそれぞれ上昇するため、第５スマートタップ１００ｅの第３電源１２ｅｃ及び第４電源１２ｅｄの各電力値も変化している。
【０１０８】
更に、第１スマートタップ１００ａの第４電源１２ａｄにおいても、第４スマートタップ１００ｄの第４電源１２ｄｄで消費された分だけ電力値が上昇することから、第１スマートタップ１００ａの第４電源１２ａｄの電力値も変化している。
【０１０９】
ゆえに、ステップＳ５３では、電力情報の値が変化したスマートタップ１００として、第１スマートタップ１００ａと第４スマートタップ１００ｄと第５スマートタップ１００ｅとが検出される。
【０１１０】
一方、ステップＳ５４において、ステップＳ５１〜ステップＳ５３に同期して、電力機器同定部１２１が、ステップＳ５１で送信された制御信号によりオンされた第４スマートタップ１００ｄの第４電源１２ｄｄに接続されている第５スマートタップ１００ｅの機器情報と、その第５スマートタップ１００ｅに接続されている第６スマート機器３００ｆと第７スマート機器ｇとの各機器情報とを検出する。
【０１１１】
次に、ステップＳ５５において、電力機器接続状態特定部１１４が、ステップＳ５３で検出された第１スマートタップ１００ａと第４スマートタップ１００ｄとを対応付けると共に、第４スマートタップ１００ｄと第５スマートタップ１００ｅとを対応付けることにより、それらスマートタップ１００間の接続状態を特定して、その結果を電力機器配置蓄積部１１５に蓄積する。この処理について以下詳述する。
【０１１２】
ステップＳ５３ではスマートタップ１００が複数検出され、ステップＳ５４ではスマートタップ１００やスマート機器３００の機器情報が複数検出されたことから、この時点では、どのスマート機器３００が、どのスマートタップ１００のどの電源に接続されているかについて特定できない。
【０１１３】
しかし、第４スマートタップ１００ｄの第４電源ｄｄがオンになったことに伴い、第５スマートタップ１００ｅの第３電源１２ｅｃ及び第４電源１２ｅｄの各電力値が上昇し、且つ、第５スマートタップ１００ｅと第６スマート機器３００ｆと第７スマート機器３００ｇとの各機器情報が検出されたことから、第５スマートタップ１００ｅと第６スマート機器３００ｆと第７スマート機器３００ｇとは、第４スマートタップ１００ｄの第４電源ｄｄに接続されていることが分かる。
【０１１４】
これより、ステップＳ５５では、第５スマートタップ１００ｅに対して、第４スマートタップ１００ｄの第４電源ｄｄを対応付ける。
【０１１５】
なお、第６スマート機器３００ｆや第７スマート機器３００ｇを第４電源ｄｄに対応付けることも考えられるが、仮に第６スマート機器３００ｆが第４電源ｄｄに接続されているとすると、ステップＳ５３において機器情報が複数検出されることはないため、ここでは理解を容易にするため、第５スマートタップ１００ｅを第４電源ｄｄに対応付けている。
【０１１６】
仮に第６スマート機器３００ｆを第４電源ｄｄに対応付けてもよいが、後述するように、第５スマートタップ１００ｅの第３電源１２ｅｃをオフした際に第６スマート機器３００ｆの機器情報が非検出されることから、その仮の対応付けは結果的に誤りであることが後の処理段階で把握される。
【０１１７】
また、ステップＳ５３で検出された第１スマートタップ１００ａと第４スマートタップ１００ｄとの電力情報の値を比較して、それら２つのスマートタップ１００間の接続関係を特定する。
【０１１８】
すなわち、電源オン後の各スマートタップの電力値を比較すると、第１スマートタップ１００ａの方が電力供給元に近く、第４スマートタップ１００ｄの電力値よりも第１スマートタップ１００ａの電力値の方が大きいことから、第４スマートタップ１００ｄが第１スマートタップ１００ａに接続されていると分かる。
【０１１９】
これにより、ステップＳ５５では、第４スマートタップ１００ｄに対して、第１スマートタップ１００ａにおいて電力値が変化した第４電源１２ａｄを対応付ける。
【０１２０】
次に、ステップＳ５６において、電力機器接続状態特定装置１の電力機器制御部１１１が、通信線７００を介して、第５スマートタップ１００ｅの第３電源１２ｅｃをオフする制御信号を送信する。この制御信号により、この第３電源１２ｅｃはオフされる。
【０１２１】
次に、ステップＳ５７において、電力情報収集部１１２が、通信線７００を介して、上記制御信号を送信した後に第１スマートタップ１００ａ〜第５スマートタップ１００ｅから送信された電力情報を受信し、電力情報の値の変動の有無を判定して、変動ありと判定した場合に、電力情報の値に変動があったことを意味するイベントを保持する。
【０１２２】
次に、ステップＳ５８において、電力機器接続状態特定部１１４が、ステップＳ５７で保持されたイベントにより電力情報の値に変動があったこと認識した場合、電力情報の値が変化したスマートタップ１００を検出する。
【０１２３】
ここで、第５スマートタップ１００ｅの第３電源１２ｅｃをオフしたことから、第５スマートタップ１００ｅの第３電源１２ｅｃにおける電力情報の値、例えば電力値が０（ゼロ）になるため、第５スマートタップ１００ｅの第３電源１２ｅｃの電力値は変化している。
【０１２４】
これと同時に、第１スマートタップ１００ａの第４電源１２ａｄや第４スマートタップ１００ｄの第４電源１２ｄｄにおいても、第５スマートタップ１００ｅの第３電源１２ｅｃで消費された分だけ電力値が低下することから、第１スマートタップ１００ａの第４電源１２ａｄと第４スマートタップ１００ｄの第４電源ｄｄとの各電力値もそれぞれ変化している。
【０１２５】
ゆえに、ステップＳ５８では、電力情報の値が変化したスマートタップ１００として、第１スマートタップ１００ａと第４スマートタップ１００ｄと第５スマートタップ１００ｅとが検出される。
【０１２６】
一方、ステップＳ５９において、ステップＳ５６〜ステップＳ５８に同期して、電力機器同定部１２１が、ステップＳ５６で送信された制御信号によりオフされた第５スマートタップ１００ｅの第３電源１２ｅｃに接続されている第６スマート機器３００ｆの機器情報を非検出する。
【０１２７】
次に、ステップＳ６０において、電力機器接続状態特定部１１４が、ステップＳ５６の制御信号によりオフされた第５スマートタップ１００ｅの第３電源１２ｅｃに、ステップＳ５９で非検出された第６スマート機器３００ｆの機器情報を関連付けることによりスマート機器３００の接続状態を更に特定して、その結果を電力機器配置蓄積部１１５に蓄積する。
【０１２８】
すなわち、電力機器接続状態特定部１１４は、ステップＳ５１やステップＳ５６においてスマートタップ１００の電源のオン・オフが繰り返されることにより、スマートタップ１００間の対応関係や、スマートタップ１００やスマート機器３００が接続されているスマートタップ１００の電源を特定している。
【０１２９】
なお、ステップＳ５５においてスマートタップ１００間の対応関係が既に特定されていることから、ステップＳ５８での検出結果を用いたスマートタップ１００の対応付けは実行されない。勿論、ステップＳ５５での対応関係を確認するために再度実行するようにしてもよい。
【０１３０】
オフする制御対象の電源を第５スマートタップ１００ｅの第４電源１２ｅｄに代えて、ステップＳ５６〜ステップＳ６０の各処理を再度行うことにより、第７スマート機器３００ｇが接続されている電源についても同様に特定できる。また、制御対象の電源をスマート機器３００に代えても、その電源のオン・オフによりスマート機器３００の機器情報が検出・非検出されることから、接続されているスマートタップ１００の電源を同様に特定できる。
【０１３１】
以上より、スマートタップ１００の電源１２やスマート機器３００の電源をオン・オフすることにより部分的な接続状態を特定し、そのオン・オフを繰り返すことにより当該特定された接続状態の情報を統合していくことにより、スマートタップ１００やスマート機器３００が多段且つ大量の場合であっても、その接続状態を特定することができる。
【０１３２】
以上説明した動作例１〜動作例３で説明した処理を、スマートタップ１００やスマート機器３００の全電源について繰り返し行うことにより、例えば図７に示すような電力機器接続状態特定結果を得ることができる。これにより、どのようなスマートタップ１００やスマート機器３００が、どのスマートタップ１００のどの電源１２に接続されているかを特定できる。
【０１３３】
また、例えば図４に示したステップＳ３１〜ステップＳ３４において、一定の時間内に複数のスマート機器３００が検出された場合には、過去の履歴を参照しながらステップＳ３５を行うことにより、関連付けられるべきスマート機器３００の機器情報の絞込みを行うようにしてもよい。これにより、一意に特定できる可能性を高めることができる。
【０１３４】
本実施の形態によれば、スマートタップ１００の電源１２をオン又はオフする制御信号により電力情報の値が変化したスマートタップ１００のうち、ある値を有するスマートタップ１００とその次に小さな値を有するスマートタップ１００とが接続されていると特定すると共に、その制御信号により機器情報が検出又は非検出されたスマート機器３００は電力情報の値が変化したスマートタップ１００のいずれかに接続されていると特定するため、スマートタップ１００間の接続状態を特定できると共に、スマート機器３００との接続状態を更に特定できる。
【０１３５】
以上より、節電や電力のピークシフトを行う際に必要な制御対象の電力機器がどの電源に配置されているかを容易に把握できる。従来は、これらの機器情報をコンピュータに手入力していたが、本装置により自動的に取得可能となることから、大幅な省力化が可能になる。また、域内の電力線配置やスマート機器の配置が把握できることから、どの機器がどの程度消費しているかを適時適切に知ることが可能になる。
【符号の説明】
【０１３６】
１…電力機器接続状態特定装置
１１０…電力制御機能部
１１１…電力機器制御部
１１２…電力情報収集部
１１３…電力情報蓄積部
１１４…電力機器接続状態特定部
１１５…電力機器配置蓄積部
１１６…電力機器同定結果収集部
１２０…電力機器同定機能部
１２１…電力機器同定部
１００…スマートタップ（電力供給型電力機器）
１００ａ〜１００ｅ…第１スマートタップ〜第５スマートタップ
１１…電力入力端
１２…電源
１２ａ〜１２ｄ…第１電源〜第４電源
１２ａａ〜１２ａｄ…第１電源〜第４電源
１２ｂａ〜１２ｂｄ…第１電源〜第４電源
１２ｃａ〜１２ｃｄ…第１電源〜第４電源
１２ｄａ〜１２ｄｄ…第１電源〜第４電源
１２ｅａ〜１２ｅｄ…第１電源〜第４電源
１３…通信入出力端
１４…電力情報計測部
１５…電源制御部
１６…通信部
１７…スイッチ
３００…スマート機器（電力消費型電力機器）
３００ａ〜３００ｅ…第１スマート機器〜第５スマート機器
５００…電力情報測定装置
７００…通信線
９００…壁
Ｓ１〜Ｓ５、Ｓ３１〜Ｓ３５、Ｓ５１〜Ｓ６０…処理ステップ
【図１】
0005657488.tif 000002
【図２】
0005657488.tif 000003
【図３】
0005657488.tif 000004
【図４】
0005657488.tif 000005
【図５】
0005657488.tif 000006
【図６】
0005657488.tif 000007
【図７】
0005657488.tif 000008
【図８】
0005657488.tif 000009
【図９】
0005657488.tif 000010